(57)【特許請求の範囲】
【請求項１】
情報記憶カードに記憶された情報を読み出して表示する情報表示装置において、
前記情報記憶カードに対して間欠的に通信を行い、前記情報を情報記憶カードから読み出す通信手段と、
前記情報を表示する表示部と、
前記表示部の表示内容の切り換えに用いる操作子と、
前記情報を前記通信手段から受け取り、前記通信手段の通信結果に基づいて、処置手順を決定して、前記情報記憶カードに記憶された情報を前記通信手段に読み出させ、その内容を前記操作子からの入力に応じて加工し、前記表示部に表示させる情報処理部とを備え、
前記情報処理部は、前記通信手段を用いて一定間隔をおいて情報記憶カードに対する通信を試み、情報記憶カードが通信可能範囲に移動してきたこと及び情報記憶カードが通信可能範囲から範囲外に移動したことを判断することで、前記情報記憶カードが通信可能範囲内にある場合にのみ、前記情報記憶カードに記憶された情報を前記表示部に表示させる情報表示装置。
【請求項２】
情報記憶カードに記憶された情報を読み出して表示する情報表示方法において、
前記情報記憶カードに対して間欠的に通信を行い、その通信結果に基づいて情報記憶カードの検出を行うカード検出ステップと、
ユーザからの操作入力を受け付け、受け付けた読み出し操作入力に応じた情報を検出された情報記憶カードから読み出す情報読み出しステップと、
前記情報読み出しステップで読み出した情報を表示する情報表示ステップと
を含み、
前記情報表示ステップでは、前記カード検出ステップにおける検出結果に基づいて、情報記憶カードが通信可能範囲に移動してきたこと及び情報記憶カードが通信可能範囲から範囲外に移動したことを判断することで、前記情報記憶カードが通信可能範囲内にある場合にのみ、前記情報記憶カードに記憶された情報を表示する情報表示方法。
【発明の詳細な説明】
【０００１】
【発明の属する技術分野】
情報記憶カードに記憶された情報を読み出して表示する情報表示装置及び情報表示方法に関する。
【０００２】
【従来の技術】
従来、ＩＣカード等の情報記憶カードは、種々の情報を安全に記録できることにより、例えば定期券、プリペイドカード、電子マネー、あるいは会員カード等に利用されるようになされている。
【０００３】
このようなＩＣカードを利用したシステムにおいては、ＩＣカードとほぼ同一形状により形成されて、ＩＣカードの内容を表示できるように構成された情報表示装置が提案されている（特開平１１−６６２４４号公報）。
【０００４】
特開平１１−６６２４４号公報に記載された技術では、情報表示装置とＩＣカード間の通信はまとめて行い、その後は情報表示装置内のメモリに蓄えた通信結果を読み出してスクロール表示を行うことを推奨している。その理由としてその都度、データをＩＣカードで読み取って転送するのでは時間がかかることをあげている。
【０００５】
しかし、通信をまとめて行うだけでは情報表示装置とＩＣカードの位置関係が情報表示装置の動作に反映されないため、次の例にあげられる種々の問題がある。
【０００６】
例えば、情報表示装置がＩＣカードにかざされ、通信を行い、内容を表示している際に、そのＩＣカードを他のＩＣカードに入れ替えた場合を考える。この状況では、情報表示装置がその表示機に表示している内容と、同情報表示装置がかざしているＩＣカードの内容が一致しない問題が発生する。再び読み取りを指示する操作子などから応動して通信を行えば、この内容の不一致は解消されるが、再び読み取りを行わずに内容の不一致に気がつかない場合も考えられるため、セキュリティの面から好ましくない。すなわち、ＩＣカードに情報表示装置がかざされ、情報表示装置の画面に情報が表示されている状況では、同情報が同ＩＣカードから得られたものであるかということが確からしくない問題がある。
【０００７】
また、利便性の面からも操作子による応動として通信動作がされる場合は、複数のＩＣカードの内容を順次確認する際にその都度操作子の煩雑な操作が必要となり、能率的でない。
【０００８】
また、情報表示装置にＩＣカードをかざして読み取らせようとし、ＩＣカードが異なる種類のカードであった場合などに、一定時間エラー表示を行った後、再び読み取りシーケンスに戻るように設計した場合には、使用者がエラー表示を確認して他の正しいカードをすぐにかざしても情報表示装置はエラー表示が終わるまでは新たな読み取り動作を行わない。このため、使用者はエラー表示が終わるまで無駄な時間を過ごすこととなる。さらに、エラー表示をしていて使用者が待機している状況でも情報表示装置は電力を消費するため、省電力の点からも無駄がある。
【０００９】
【発明が解決しようとする課題】
以上に述べたとおり、このような情報表示装置においては、携帯して使用することを前提とすることにより、電池の容量も限られるのに対し、ＩＣカードにおいては多くの情報を記録できることにより、この種の情報表示装置により確認する時間と消費電力量も多くなる傾向がある。これにより、この種の情報表示装置においては短時間に必要な情報を表示できる使い勝手が要求される。
【００１０】
そこで、本発明は、以上の点を考慮してなされたもので、操作性の向上、使用時間の短縮、及び省電力を実現することができるようにした情報表示装置及び情報表示方法を提供するものである。
【００１１】
【課題を解決するための手段】
かかる課題を解決するため、本発明では、通信手段を用いて一定間隔をおいて情報記憶カードに対する通信を試み、情報記憶カードが通信可能範囲から範囲外に移動したことや異なるＩＤを持つ情報記憶カードが新たに通信可能範囲に移動してきたことを情報処理部が判断する。これにより、操作子に対する入力がないときでも適宜表示モードを切り換えを行え、操作性の向上、使用時間の短縮、及び省電力を実現することができる。また、情報処理部の処理条件を変更するだけで、種々の目的に対応することができる。
【００１２】
すなわち、本発明は、情報記憶カードに記憶された情報を読み出して表示する情報表示装置において、前記情報記憶カードに対して間欠的に通信を行い、前記情報を情報記憶カードから読み出す通信手段と、前記情報を表示する表示部と、前記表示部の表示内容の切り換えに用いる操作子と、前記情報を前記通信手段から受け取り、前記情報を前記通信手段から受け取り、前記通信手段の通信結果に基づいて、処置手順を決定して、前記情報記憶カードに記憶された情報を前記通信手段に読み出させ、その内容を前記操作子からの入力に応じて加工し、前記表示部に表示させる情報処理部とを備え、前記情報処理部は、前記通信手段を用いて一定間隔をおいて情報記憶カードに対する通信を試み、情報記憶カードが通信可能範囲に移動してきたこと及び情報記憶カードが通信可能範囲から範囲外に移動したことを判断することで、前記情報記憶カードが通信可能範囲内にある場合にのみ、前記情報記憶カードに記憶された情報を前記表示部に表示させることを特徴とする。
【００１３】
また、本発明は、情報記憶カードに記憶された情報を読み出して表示する情報表示方法において、前記情報記憶カードに対して間欠的に通信を行い、その通信結果に基づいて情報記憶カードの検出を行うカード検出ステップと、ユーザからの操作入力を受け付け、受け付けた読み出し操作入力に応じた情報を検出された情報記憶カードから読み出す情報読み出しステップと、前記情報読み出しステップで読み出した情報を表示する情報表示ステップとを含み、前記情報表示ステップでは、前記カード検出ステップにおける検出結果に基づいて、情報記憶カードが通信可能範囲に移動してきたこと及び情報記憶カードが通信可能範囲から範囲外に移動したことを判断することで、前記情報記憶カードが通信可能範囲内にある場合にのみ、前記情報記憶カードに記憶された情報を表示することを特徴とする。
【００１４】
【発明の実施の形態】
以下、本発明の実施の形態について、図面を参照して詳細に説明する。
【００１５】
本発明は、例えば図１に示すような構成の情報読み取りシステムに１００に適用される。
【００１６】
この情報読み取りシステム１００は、ＩＣカード１と、このＩＣカード１の情報表示装置２からなる。この情報読み取りシステム１００におけるＩＣカード１は、例えば電子マネー、定期、プリペイドカード、あるいは会員証の媒体として利用され、情報表示装置２は、例えば各ユーザが携帯してＩＣカード１に記録された電子情報の確認等に使用される。
【００１７】
ＩＣカード１は、集積回路を実装した基板と保護シートとを積層してカード形状に形成されている。ＩＣカード１は、上記基板上の配線パターンによりループアンテナ３が形成されている。また、上記基板上に実装した集積回路により、変復調回路４及び信号処理回路５が形成されている。
【００１８】
ループアンテナ３は、情報表示装置２のループアンテナ７と結合して、上記ループアンテナ７から送出された信号を受信するとともに、変復調回路４で生成した応答信号を放射する。
【００１９】
変復調回路４は、ループアンテナ３で受信した信号より、このＩＣカード１の動作に必要な電力、クロック等を生成する。さらに、変復調回路４は、この電力、クロックにより動作して、情報表示装置２から送出されたデータ列（以下送信データ列と呼ぶ）Ｄ（Ｒ→Ｃ）を復調して信号処理回路５に出力する。また、変復調回路４は、この送信データ列Ｄ（Ｒ→Ｃ）により送信が促されて信号処理回路５から入力されるデータ列（以下応答データ列と呼ぶ）Ｄ（Ｃ→Ｒ）によりＡＳＫ変調信号による応答信号を生成し、この応答信号によりループアンテナ３を駆動して応答信号を放射する。
【００２０】
信号処理回路５は、変復調回路４で生成した電力、クロックにより動作して、送信データ列Ｄ（Ｒ→Ｃ）を解析し、必要に応じて不揮発性メモリ１３に保持した応答データ列Ｄ（Ｃ→Ｒ）を変復調回路４に出力する。
【００２１】
これらによりＩＣカード１は、ＩＣカード１に記録した電子マネーの金額、支払先、支払金額等を記録して、電子マネーの媒体として使用できるようになされている。
【００２２】
情報表示装置２は、内蔵のバッテリ６により動作する。変復調回路８は、情報処理部９から入力される送信データ列Ｄ（Ｒ→Ｃ）よりＡＳＫ変調信号による送信信号を生成し、この送信信号によりループアンテナ７を駆動する。また、変復調回路８は、上記ループアンテナ７で受信された応答信号を信号処理して、ＩＣカード１より送出された応答データ列Ｄ（Ｃ→Ｒ）を復調し、この応答データ列Ｄ（Ｃ→Ｒ）を情報処理部９に出力する。
【００２３】
情報処理部９は、ＩＣカード１に送信する送信データ列Ｄ（Ｒ→Ｃ）を変復調回路９に送出し、またこの変復調回路９より入力される応答データ列Ｄ（Ｃ→Ｒ）を処理する。この処理において、情報処理部９は、ＩＣカード１に記録されたデータをメモリ１０に保存し、さらに操作子１１Ｂ〜１１Ｇの操作に応動して上記メモリ１０にロードしたデータを表示部１２で表示する。これにより、この情報表示装置２では、ＩＣカード１の内容を確認して、電子マネー、定期、プリペイドカード、あるいは会員証等の使用履歴、残金等を表示できるようになされている。
【００２４】
図２は、上記情報表示装置２の外観を示す平面図である。情報表示装置２は、ＩＣカード１と同様に、集積回路を実装した基板と保護シートとを積層してカード形状に形成されている。情報表示装置２は、この基板上の配線パターンによりループアンテナ７が形成され、さらにはこの配線基板と表面の保護層との間に空隙より各種押圧操作子１１Ａ〜１１Ｇが構成されている。なお、これらの押圧操作子１１Ａ〜１１Ｇには、それぞれ各操作子の機能が印刷により表示されるようになされている。
【００２５】
さらに、情報表示装置２は、表面の保護層に矩形形状の窓が形成され、この窓の部分に液晶表示パネルによる表示部１２が形成されている。なお、情報表示装置２においては、これらの他に、この情報表示装置２の情報表示対象を特定する記載、この情報表示装置２の製品名等が表面あるいは裏面の印刷により表示されるようになされている。
【００２６】
表示部１２は、ドットマトリクス型の液晶表示パネルで構成され、ドットの組合せにより文字を表示できるようになされている。これらにより情報表示装置２では、小さな表示スペースを有効に利用してＩＣカード１の内容を表示できるようになされている。
【００２７】
図３〜図５は、情報処理部９の動作概略をまとめたフローチャート図である。
【００２８】
図３は起動及びＩＣカード１の読み取り処理の手順を示すフローチャート図である。
【００２９】
情報表示装置２は、電源操作子１１Ａの押圧操作により電源投入（ステップＳ１）されると、読み取り画面を表示し（ステップＳ２）、ＩＣカード１に対する読み取りのための通信処理（ステップＳ３）、タイムアウトの判定処理（ステップＳ４）、読み取りのための通信に成功したか否かの判定処理（ステップＳ６）を行い、読み取りのための通信に成功しない場合はタイムアウトするまで読み取り試行を繰り返し、タイムアウトにより電源ＯＦＦ（ステップＳ５）とし、読み取りに成功した場合は以後表示に必要な情報を全て読み取り、さらに読み取ったＩＣカード１のＩＤ番号を情報表示装置２内のメモリ１０に記憶して（ステップＳ７）、データ整合性の判定処理（ステップＳ８）に移る。メモリ１０に記憶したＩＤ番号は後に通信しているＩＣカード１が別のものに入れ替わったかどうかを判断するために用いられる。
【００３０】
データ整合性の判定処理（ステップＳ８）では、読み取ったデータのＣＲＣチェックやＩＤチェック、セキュリティ認証などの必要な処理を行い、ＮＧとなった場合はエラー表示処理（ステップＳ９）を行い、ＯＫとなった場合は図４に示す残額画面表示処理への移行処理（ステップＳ１０）を行う。
【００３１】
エラー表示処理（ステップＳ９）では、まず、エラー表示を行い（ステップＳ９Ａ）、エラー表示後は、ＩＣカード１に対する通信処理（ステップＳ９Ｂ）、ＩＣカード１からの返信信号を受信したか否かの判定処理（ステップＳ９Ｃ）、エラー表示時間が経過したか否かの判定処理（ステップＳ９Ｄ）及びポーリング間欠時間待ち（ステップＳ９Ｅ）を繰り返すことにより、一定の時間間隔おきに通信を繰り返し、通信できるＩＣカード１がなくなるかエラー表示をする時間が経過すると電源投入直後のフローに戻る。
【００３２】
図４は残額画面表示処理の手順を示すフローチャート図である。
【００３３】
残額画面表示処理では、まず、例えば図６にような表示内容の残額表示を行い、ＩＣカード１から読み取った情報を使用者に内容を伝達する（ステップＳ１１）。
【００３４】
残額表示（ステップＳ１１）の後は、操作子１１Ａ，１１Ｇの押圧操作入力（ステップＳ１２）に従い電源ＯＦＦあるいは履歴画面表示処理への移行、すなわち、電源操作子１１Ａが押圧操作されたか否かの判定処理（ステップＳ１３）及び履歴操作子１１Ｇが押圧操作されたか否かの判定処理（ステップＳ１５）を行い、電源操作子１１Ａが押圧操作された場合は電源ＯＦＦ（ステップＳ１４）とし、履歴操作子１１Ｇが押圧操作された場合は図５に示す履歴画面表示処理への移行処理（ステップＳ１６）を行う。
【００３５】
さらに、上記電源操作子１１Ａ及び履歴操作子１１Ｇが押圧操作されなかった場合には、ＩＣカード１に対してＩＣカードのＩＤ番号を要求する通信コマンドを発信する通信処理（ステップＳ１７）を行う。
【００３６】
そして、ＩＣカード１からの返信信号を受信したか否かの判定処理（ステップＳ１８）、ＩＣカード１から受信した返信信号を復号して得られたＩＣカードのＩＤ番号が上記メモリに記憶されているＩＤ番号と一致するか否かの判定処理（ステップＳ１９）を行い、上記メモリ１０に記憶されているＩＤ番号と一致しない場合には、ＩＣカード１がＩＣカードにと入れ替わったと判断して、上述の図３に示した起動時フローに戻るための移行処理を行い（ステップＳ２０）、起動時フローに戻って、動作を初期化する。これにより、残額表示を行っている際にＩＣカード１を情報表示装置２から遠ざけても既に読み取った情報を基に残額表示は続行するが、他のＩＣカードが情報表示装置２にかざされた時点で、新たにＩＣカードから情報を読み取りなおし、その情報を表示できることとなる。
【００３７】
さらに、ＩＣカード１からの返信信号を受信しない場合及び上記メモリに記憶されているＩＤ番号と一致した場合には、間欠時間待ち（ステップＳ２１）、タイムアウトの判定処理（ステップＳ２２）を行うことにより、通信は操作上支障にならない範囲の一定時間間隔で間欠的に実行され、一定時間操作がないときにはタイムアウトとなり、電源ＯＦＦとする（ステップＳ２３）。なお、それぞれの時間待ちにおいては消費電力を最大限に節約するよう情報処理部９のプログラムにより設定されている。
【００３８】
図５は履歴画面表示処理の手順を示すフローチャート図である。
【００３９】
この履歴画面表示処理には、上述の残額画面表示処理とどうように通信によりＩＣカード１の存在を確認し動作フローが構成される。情報表示装置２は、操作子１１Ａ〜１１Ｇの押圧操作により入力に応じて様々にモードを切り換えながら情報を表示するものであるため、図４と同様な処理が含まれるが例としてここに説明する。
【００４０】
すなわち、履歴画面表示処理では、まず、履歴番号を１に初期化する（ステップＳ３１）。
【００４１】
次に、例えば図７にような表示内容の履歴表示を行い、使用者に内容を伝達する（ステップＳ３２）。
【００４２】
履歴表示後は、操作子の押圧操作による入力（ステップＳ３３）に応じて、電源ＯＦＦ又は上記残額画面表示処理の移行、すなわち、電源操作子１１Ａが押圧操作されたか否かの判定処理（ステップＳ３４）、残額操作子１１Ｆが押圧操作されたか否かの判定処理（ステップＳ３６）、スクロール（↓）操作子１１Ｃが押圧操作されたか否かの判定処理（ステップＳ３８）及びスクロール（↑）操作子１１Ｄが押圧操作されたか否かの判定処理（ステップＳ４０）を行い、電源操作子１１Ａが押圧操作された場合は電源ＯＦＦ（ステップＳ３５）とし、残額操作子１１Ｆが押圧操作された場合には、上述の図４に示した残額画面表示処理への移行処理（ステップＳ３７）を行い、スクロール（↓）操作子１１Ｃが押圧操作された場合には、可能であれば履歴番号を１増加させてから（ステップＳ３９）、履歴表示（ステップＳ３２）に戻り、スクロール（↑）操作子１１Ｄが押圧操作された場合には、可能であれば履歴番号を１減少させてから（ステップＳ４１）、履歴表示（ステップＳ３２）に戻り、新しい履歴番号について履歴表示を行う。
【００４３】
すなわち、スクロール（↓）操作子１１Ｃ又はスクロール（↑）操作子１１Ｄ押圧操作された場合には、増減可能であれば履歴番号の増減を行い、新しい履歴番号について履歴表示処理で表示しなおすことができる。
【００４４】
さらに、上記電源操作子１１Ａ、残額操作子１１Ｆ、スクロール（↓）操作子１１Ｃ，１１Ｄが押圧操作されなかった場合には、ＩＣカード１に対してＩＣカードのＩＤ番号を要求する通信コマンドを発信する通信処理（ステップＳ４２）を行う。
【００４５】
そして、ＩＣカード１からの返信信号を受信したか否かの判定処理（ステップＳ４３）、ＩＣカード１から受信した返信信号を復号して得られたＩＣカードのＩＤ番号が上記メモリ１０に記憶されているＩＤ番号と一致するか否かの判定処理（ステップＳ４４）を行い、上記メモリ１０記憶されているＩＤ番号と一致しない場合には、ＩＣカード１がＩＣカードにと入れ替わったと判断して、上述の図３に示した起動時フローに戻るための移行処理を行い（ステップＳ４５）、起動時フローに戻って、動作を初期化する。これにより、履歴表示を行っている際にＩＣカード１を情報表示装置２から遠ざけても既に読み取った情報を基に履歴表示は続行するが、他のＩＣカードが情報表示装置２にかざされた時点で、新たにＩＣカードから情報を読み取りなおし、その情報を表示できることとなる。
【００４６】
さらに、ＩＣカード１からの返信信号を受信しない場合及び上記メモリに記憶されているＩＤ番号と一致した場合には、間欠時間待ち（ステップＳ４６）、タイムアウトの判定処理（ステップＳ４７）を行うことにより、通信は操作上支障にならない範囲の一定時間間隔で間欠的に実行され、一定時間操作がないときにはタイムアウトとなり、電源ＯＦＦとする（ステップＳ４８）。なお、それぞれの時間待ちにおいては消費電力を最大限に節約するよう情報処理部９のプログラムにより設定されている。
【００４７】
これらにより情報処理部９は操作子１１Ａ〜１１Ｇの操作に応動して表示部１２の表示を切り換える表示切換制御機能を実現している。
【００４８】
このような構成の情報読み取りシステム１００において、ＩＣカード１は、銀行等においてプリペイドあるいは電子マネーを入金し、さらに店舗等にてこの入金した電子マネーにより支払いし、これらの履歴が残額とともに記録される。あるいは、駅券売機、改札機等において、プリペイド情報あるいは乗降情報を入力し、これらの残額あるいは履歴残額が記録される。
【００４９】
情報表示装置２は、上記ＩＣカード１に近接して保持されると、ループアンテナ７より送信される電力によりＩＣカード１が動作を開始し、このＩＣカード１との間のコマンド、データの送受により上記ＩＣカード１に記録された履歴、残金がメモリ１０に記録される。
【００５０】
情報表示装置２においては、電源投入後、又は、残額操作子１１Ｆが押圧操作されると、上記メモリ１０にロードされたデータのうち残額のデータが情報処理部９によりアクセスされて表示部１２に表示される。これにより、利用者によりＩＣカード１の残額を確認することが可能となる。
【００５１】
また、この情報表示装置２においては、履歴操作子１１Ｇが押圧操作されると、このメモリ１０にロードされたデータのうち履歴のデータが情報処理部９によりアクセスされて表示部１２に表示される。これにより、利用者によりＩＣカード１の履歴を確認することが可能となる。
【００５２】
この履歴表示において、情報処理装置２においては、スクロール操作子１１Ｃ，１１Ｄの操作に応動して頁送りにより使用回毎の使用履歴が表示される。
【００５３】
また、この情報表示装置２においては、電源が切断されているときを除いて全ての場合でＩＣカード１が情報表示装置２から遠ざかったことにより、表示していたＩＣカード情報が画面から消えることは無い。
【００５４】
また、この情報表示装置２においては、電源が切断されているときを除いて全ての場合で別のＩＣカード１が情報表示装置２と通信可能になった時点で、それまで表示していたＩＣカード情報の表示を中断し、新しく通信可能となったＩＣカード１の情報の表示を開始することができる。このとき操作子１１による操作を必要としない。
【００５５】
また、この情報表示装置２においては、かざされたＩＣカードが所望の返答をするカードでなかった場合、直ちに一定時間のエラー表示を行い、その旨を使用者に伝えることができる。またエラー表示中であってもＩＣカードを遠ざけることにより電源投入時の状態に即座に移行することができ、エラー表示の終了を使用者が待つ必要が無い。このとき操作子１１による操作を必要としない。
【００５６】
また、本情報表示装置２をこの使用目的とは異なる、例えば定期券等や会員証に係るＩＣカード１の情報表示装置２を構成する場合には必要に応じて情報処理部９の処理プログラムを更新するとともに、表面、裏面の印刷の変更により対応することができ、これにより、簡易な構成の変更により種々の目的に使用することができる。
【００５７】
このように、上記情報表示装置２では、通信手段を用いて一定間隔をおいてＩＣカード１に対する通信を試み、ＩＣカード１が通信可能範囲から範囲外に移動したことや異なるＩＤを持つＩＣカードが新たに通信可能範囲に移動してきたことを情報処理部９が判断することで、操作子１１に対する入力がないときでも情報表示装置２は適宜表示モードを切り換えを行え、操作性の向上、使用時間の短縮、及び省電力を実現することができる。また、情報処理部９の処理条件を変更するだけで、種々の目的に対応することができる。
【００５８】
なお、以上の説明では、全ての場合でＩＣカード１が情報表示装置２から遠ざかったことにより、表示していたＩＣカード情報が画面から消えることはないと記載しているが、これは運用上の希望があるときに実現できることであり必要不可欠ではない。希望の運用によっては、本発明を適用し処理フローを簡易に変更することにより、ＩＣカード１が情報表示装置２から遠ざかったことにより、表示していたＩＣカード情報が画面から即座に消去されるようにプログラムすることもできる。
【００５９】
【発明の効果】
上述のように本発明によれば、通信手段を用いて一定間隔をおいて情報記憶カードに対する通信を試み、情報記憶カードが通信可能範囲から範囲外に移動したことや異なるＩＤを持つＩＣカードが新たに通信可能範囲に移動してきたことを情報処理部が判断することで、操作子に対する入力がないときでも情報表示装置は適宜表示モードを切り換えを行え、操作性の向上、使用時間の短縮、及び省電力を実現することができる。また、情報処理部の処理条件を変更するだけで、種々の目的に対応することができる。
【図面の簡単な説明】
【図１】本発明を適用した情報読み取りシステムの構成を示すブロック図である。
【図２】上記情報読み取りシステムにおける情報表示装置の平面図である。
【図３】上記情報読み取りシステムの起動及びＩＣカードの読み取り処理の手順を示すフローチャートである。
【図４】上記情報読み取りシステムにおける残額画面表示処理の手順を示すフローチャートである。
【図５】上記情報読み取りシステムにおける履歴画面表示処理の手順を示すフローチャートである。
【図６】上記残額画面表示処理における残額表示の内容の一例を示す図である。
【図７】上記履歴画面表示処理における履歴表示の内容の一例を示す図である。
【符号の説明】
１  ＩＣカード、２  情報表示装置、３，７  ループアンテナ、４，８  変復調回路、５、信号処理回路、６  電池、９  情報処理部、１０  メモリ、１１Ａ〜１１Ｇ  操作子、１２  表示部、１３  不揮発性メモリ
【図１】
0004655323.tif 000002
【図２】
0004655323.tif 000003
【図３】
0004655323.tif 000004
【図４】
0004655323.tif 000005
【図５】
0004655323.tif 000006
【図６】
0004655323.tif 000007
【図７】
0004655323.tif 000008